(57)【要約】【課題】コマンド入力時の操作部の操作性を向上させたコマンド入力装置を提供する。【解決手段】操作者の頭部に装着する頭部装着部と、前記頭部装着部に設けられコマンドを入力する操作部１４と、前記操作部に関するガイド情報を含む第１情報及び前記操作部により入力された入力結果情報を含む第２情報を有する映像情報を生成する映像情報生成部１８と、前記操作部の操作に基づいて、前記第２情報に対して前記第１情報の情報量が相対的に少なくなるように前記第１情報及び前記第２情報の情報量を変更する情報量変更処理部１８とを備える。【選択図】図２
2012033079.tif 000002
【特許請求の範囲】
【請求項１】
頭部装着部と、
前記頭部装着部に設けられコマンドを入力する操作部と、
前記操作部に関するガイド情報を含む第１情報及び前記操作部により入力された入力結果情報を含む第２情報を有する映像情報を生成する映像情報生成部と、
前記操作部の操作に基づいて、前記第２情報に対して前記第１情報の情報量が相対的に少なくなるように前記第１情報及び前記第２情報の情報量を変更する情報量変更処理部と
を備えることを特徴とするコマンド入力装置。
【請求項２】
前記操作部は、操作者が前記頭部装着部を頭部に装着した場合に、前記頭部の左右どちらか一方に設けられ、前記第１情報の映像情報は、前記第１情報及び前記第２情報を有する前記映像情報上において、前記操作部が存在するのと同じ側に存在すること特徴とする請求項１記載のコマンド入力装置。
【請求項３】
前記操作部は、前記操作者が前記頭部装着部を頭部に装着した場合に前記頭部の左右に位置する第１操作部及び第２操作部により構成され、前記第１操作部及び前記第２操作部にそれぞれ対応する前記第１情報の映像情報は、前記第１情報を含む前記映像情報の表示領域を左右に分割した場合に前記第１操作部及び前記第２操作部のそれぞれが存在する側に存在し、
前記情報量変更処理部は、前記第１操作部または前記第２操作部が操作された場合に、前記第２操作部または前記第１操作部の前記第１情報の情報量を少なくすることを特徴とする請求項１または請求項２記載のコマンド入力装置。
【請求項４】
前記操作部の操作は、前記操作部に対する近接、接触、押下の何れかであることを特徴とする請求項１〜請求項３の何れか一項に記載のコマンド入力装置。
【請求項５】
前記情報量変更処理部は、前記第１情報の映像情報の大きさを前記第２情報の映像情報の大きさに対して相対的に小さくすることを特徴とする請求項１〜請求項３の何れか一項に記載のコマンド入力装置。
【請求項６】
前記情報量変更処理部は、前記第１情報の映像情報を前記第１情報及び前記第２情報を含む前記映像情報の表示領域の端部に移動させることを特徴とする請求項１〜請求項３の何れか一項に記載のコマンド入力装置。
【請求項７】
前記情報量変更処理部は、前記第１情報の映像情報の一部を欠落させることを特徴とする請求項１〜請求項３の何れか一項に記載のコマンド入力装置。
【請求項８】
前記情報量変更処理部は、前記第１情報の映像情報を白黒表示にすることを特徴とする請求項１〜請求項３の何れか一項に記載のコマンド入力装置。
【請求項９】
前記情報量変更処理部は、前記第１情報の映像情報を薄く表示することを特徴とする請求項１〜請求項３の何れか一項に記載のコマンド入力装置。
【請求項１０】
前記情報量変更処理部は、前記操作部の中で実際に操作されている部材に関する情報量の削減量を他の部材に関する情報量の削減量に比較して少なくすることを特徴とする請求項１〜請求項９の何れか一項に記載のコマンド入力装置。
【請求項１１】
前記第１情報及び前記第２情報を有する前記映像情報を表示する表示部を備えることを特徴とする請求項１〜請求項１０の何れか一項に記載のコマンド入力装置。
【発明の詳細な説明】
【技術分野】
【０００１】
本発明は、コマンド入力装置に関するものである。
【背景技術】
【０００２】
従来、ヘッドマウントディスプレイに備えられた操作ボタンに関する情報を表示部に表示するヘッドマウントディスプレイが存在する（例えば、特許文献１参照）。このヘッドマウントディスプレイによれば、操作ボタンを操作する際に操作ボタンに関する情報を表示部の表示画面により確認することができる。
【先行技術文献】
【特許文献】
【０００３】
【特許文献１】特開２００４−２３３７７６号公報
【発明の概要】
【発明が解決しようとする課題】
【０００４】
しかしながら、上述のヘッドマウントディスプレイにおいては、操作ボタンに関する情報の表示を行った場合には、表示画面上の選択対象または入力結果の情報が操作ボタンに関する情報で隠れ操作ボタンの操作性が低下する場合があった。
【０００５】
本発明の目的は、コマンド入力時の操作部の操作性を向上させたコマンド入力装置を提供することである。
【課題を解決するための手段】
【０００６】
本発明のコマンド入力装置は、頭部装着部と、前記頭部装着部に設けられコマンドを入力する操作部と、前記操作部に関するガイド情報を含む第１情報及び前記操作部により入力された入力結果情報を含む第２情報を有する映像情報を生成する映像情報生成部と、前記操作部の操作に基づいて、前記第２情報に対して前記第１情報の情報量が相対的に少なくなるように前記第１情報及び前記第２情報の情報量を変更する情報量変更処理部とを備えることを特徴とする。
【発明の効果】
【０００７】
本発明によれば、コマンド入力時の操作部の操作性を向上させることができる。
【図面の簡単な説明】
【０００８】
【図１】第１の実施の形態に係るＨＭＤの外観を示す斜視図である。
【図２】第１の実施の形態に係るＨＭＤのシステム構成を示すブロック図である。
【図３】第１の実施の形態に係る文字入力処理を示すフローチャートである。
【図４】第１の実施の形態に係る表示部に表示され操作者に提供される映像を示す図である。
【図５】第１の実施の形態に係る表示部に表示され操作者に提供される映像を示す図である。
【図６】第２の実施の形態に係るＨＭＤの外観を示す斜視図である。
【図７】第２の実施の形態に係るＨＭＤのシステム構成を示すブロック図である。
【図８】第２の実施の形態に係る文字入力処理を示すフローチャートである。
【図９】第２の実施の形態に係る表示部に表示され操作者に提供される映像を示す図である。
【図１０】第２の実施の形態に係る表示部に表示され操作者に提供される映像を示す図である。
【図１１】第２の実施の形態に係る表示部に表示され操作者に提供される映像を示す図である。
【図１２】実施の形態に係る表示部に表示され操作者に提供される映像を示す図である。
【発明を実施するための形態】
【０００９】
以下、図面を参照して、本発明の第１の実施の形態に係るコマンド入力装置についてＨＭＤ（Ｈｅａｄ  Ｍｏｕｎｔｅｄ  Ｄｉｓｐｌａｙ）を例に説明する。図１は、第１の実施の形態に係るＨＭＤの外観を示す斜視図である。図１に示すように、ＨＭＤ２は二つの音声出力部４、６を有し、これらは連結部８で結合されている。音声出力部４、６にはそれぞれスピーカ２０、２２（図２参照）が収納されている。音声出力部６の外側の略中央には図示しない回転軸を介して支持アーム１０が取り付けられ、支持アーム１０の先端部には操作者の片眼に映像を入力することによって、映像を操作者に提供する表示部１２が取り付けられている。また、音声出力部４の外側の略中央には操作者の指示を入力する操作部材である十字キー１４が設けられ、十字キー１４は↑ボタン１４ａ、↓ボタン１４ｂ、←ボタン１４ｃ、→ボタン１４ｄ及び中央ボタン１４ｅを備えている。
【００１０】
図２は、第１の実施の形態に係るＨＭＤ２のシステム構成を示すブロック図である。図２に示すように、ＨＭＤ２はコントローラ１８を備え、コントローラ１８には、十字キー１４、スピーカ２０，２２、ＬＣＤ表示部２８に表示する映像情報を一時的に記憶するメモリ２４、プログラム、映像情報等を記憶するフラッシュメモリ２６、ＬＣＤ表示部２８の駆動を行うＬＣＤドライバ３０、バックライト３２の制御を行うバックライトドライバ３４が接続されている。表示部１２の内部においては、映像情報を電気的に表示するＬＣＤ表示部２８の背面にバックライト３２が配置され、バックライト３２から射出された照明光を用いてＬＣＤ表示部２８を照明する。ＬＣＤ表示部２８に表示された映像はミラー３６により反射された後、接眼レンズ３８によりサイズが変更され操作者の眼に入力される。
【００１１】
次に、図３に示すフローチャートを参照して第１の実施の形態に係るＨＭＤ２の文字入力処理について説明する。操作者の頭部にＨＭＤ２が装着され図示しない電源スイッチがオンにされるとコントローラ１８が起動し、表示部１２のＬＣＤ表示部２８に表示された映像が操作者に提供される。先ずＬＣＤ表示部２８には、操作者に「文字入力モード」、「音楽再生モード」等の各種モードを選択させるメニュー画面の映像が表示される。この状態において操作者が十字キー１４を操作しメニュー画面に表示されている「文字入力モード」を選択した場合には、ＨＭＤ２は文字入力モードに移行する（ステップＳ１０）。
【００１２】
文字入力モードに移行するとコントローラ１８は、ひらがなの５０音表、入力対象の文字を示すカーソル、十字キー１４の画像、十字キー１４に対するガイド情報の画像及び入力された文字を表示する文字入力欄の映像を含む文字入力画面の映像情報を生成し、図４に示すように、ひらがなの５０音表４０、カーソル４２、十字キー画像４４、ガイド情報の画像４６、文字入力欄４８の映像を含む文字入力画面をＬＣＤ表示部２８に表示する（ステップＳ１１）。ここで、十字キー画像４４及びガイド情報の画像４６が文字入力画面の十字キー１４が存在する側に位置する映像情報が生成されるため、十字キー画像４４及びガイド情報の画像４６は文字入力画面の表示領域の右側に表示される。また、カーソル４２は、ひらがなの５０音表４０の何れかの文字（例えば、く）に対して表示される。
【００１３】
次に、コントローラ１８が十字キー１４の方向ボタン（例えば、→ボタン１４ｄ）の押下を検出した場合には（ステップＳ１２、方向ボタン）、十字キー画像４４の表示面積を小さくし、ガイド情報の画像４６の一部、即ち、押下された→ボタン１４ｄ以外の↑ボタン１４ａ、↓ボタン１４ｂ、←ボタン１４ｃ、中央ボタン１４ｅに対するガイド情報の画像４６を非表示にして、十字キー画像４４及びガイド情報の画像４６の情報量を削減する（ステップＳ１３）。ここで、十字キー画像４４の情報量の削減は、十字キー画像４４の→ボタン以外のボタンの情報量の削減量と比較して、実際に押下された→ボタン１４ｄに対する十字キー画像４４の→ボタンの情報量の削減量を少なくするように行われる。即ち、図５に示すように、図４に示す十字キー画像４４及びガイド情報の画像４６に代えて十字キー画像４４の→ボタン以外を縮小した十字キー画像４４´及び→ボタン１４ｄに対するガイド情報４６´のみをＬＣＤ表示部２８に表示する。これにより十字キー１４の操作時に、ひらがなの５０音表４０の中の文字及びカーソル４２が十字キー画像４４´またはガイド情報の画像４６´で隠れることなく表示される。また、カーソル４２の位置は、→ボタン１４ｄの操作によりひらがなの５０音表４０の「く」から１文字分右へ移動され（ステップＳ１４）、カーソル４２がひらがなの５０音表４０の「す」に対して表示される。
【００１４】
次に、コントローラ１８は、十字キー１４の中央ボタン１４ｅの押下を検出した場合には（ステップＳ１２、中央ボタン）、カーソル４２が表示されている入力対象の「す」を入力文字として確定し（ステップＳ１５）、確定した文字「す」を文字入力欄４８に表示する。
【００１５】
本発明の第１の実施の形態に係るＨＭＤによれば、操作者による十字キー（例えば、→ボタン）の操作に基づいて、十字キー画像の→ボタン以外を縮小して表示し、ガイド情報の画像において→ボタンのガイド情報以外のガイド情報を非表示にするため、文字入力画面上の選択対象または入力結果が十字キー画像またはガイド情報の画像で隠れている場合であっても、コマンド入力時に選択対象または入力結果を十字キー画像またはガイド情報の画像で隠れない状態で表示することができる。従って、コマンド入力時の操作部の操作性を向上させることができる。
【００１６】
次に、本発明の第２の実施の形態に係るＨＭＤについて説明する。なお、第２の実施の形態に係るＨＭＤの構成は、図１に示すＨＭＤ２の音声出力部６に操作ボタンを付加したものである。従って第１の実施の形態と同様の構成についての詳細な説明は省略し、異なる部分のみについて説明する。また、第１の実施の形態と同一の構成には同一の符号を付して説明する。
【００１７】
図６は、第２の実施の形態に係るＨＭＤ２００の外観を示す斜視図である。図６に示すように、音声出力部６の外側の下部には操作者の指示を入力する操作部材である操作ボタン５０が設けられ、操作ボタン５０はＡボタン５０ａ、Ｂボタン５０ｂ、Ｃボタン５０ｃ及びＤボタン５０ｄを備えている。なお、この図においては音声出力部６の外側を直接見ることができないため、操作ボタン５０を図中に別に示し、音声出力部６の外側に位置することを矢印で示している。
【００１８】
図７は、第２の実施の形態に係るＨＭＤ２００のシステム構成を示すブロック図である。ＨＭＤ２００のシステム構成は、図２に示すＨＭＤ２のシステム構成にコントローラ１８に接続される操作ボタン５０を追加したものである。
【００１９】
次に、図８に示すフローチャートを参照して第２の実施の形態に係るＨＭＤ２００の文字入力処理について説明する。操作者の頭部にＨＭＤ２００が装着され図示しない電源スイッチがオンにされるとコントローラ１８が起動し、表示部１２のＬＣＤ表示部２８に表示された映像が操作者に提供される。先ず図３のステップＳ１０と同様にして、操作者の操作によりＨＭＤ２００が文字入力モードに移行すると（ステップＳ２０）、コントローラ１８は、ひらがなの５０音表、入力対象の文字を示すカーソル、十字キー１４の画像、十字キー１４に対するガイド情報の画像、入力された文字を表示する文字入力欄、操作ボタン５０の画像及び操作ボタンに対するガイド情報の画像の映像を含む文字入力画面の映像情報を生成し、図９に示すように、ひらがなの５０音表４０、カーソル４２、十字キー画像４４、ガイド情報の画像４６、文字入力欄４８、操作ボタン画像６０及びガイド情報の画像６２の映像を含む文字入力画面をＬＣＤ表示部２８に表示する（ステップＳ２１）。
【００２０】
ここで、十字キー画像４４及びガイド情報の画像４６が文字入力画面の十字キー１４が存在する側に位置し、操作ボタン画像６０及びガイド情報の画像６２が文字入力画面の操作ボタン５０が存在する側に位置する映像情報が生成される。そのため、十字キー画像４４及びガイド情報の画像４６は文字入力画面の表示領域の右側に、操作ボタン画像６０及びガイド情報の画像６２は文字入力画面の表示領域の左側に表示される。また、カーソル４２は、ひらがなの５０音表４０の何れかの文字（例えば、く）に対して表示される。
【００２１】
次にコントローラ１８が、操作ボタン５０の押下、例えばＡボタン５０ａの押下を検出した場合には（ステップＳ２２、操作ボタン）、十字キー画像４４及び十字キー画像４４に対するガイド情報の画像４６を非表示にして十字キー画像４４側の情報量を削除する（ステップＳ２３）。また、操作ボタン画像５０の一部、即ち、押下されたＡボタン５０ａ以外のＢボタン５０ｂ、Ｃボタン５０ｃ、Ｄボタン５０ｄに対するガイド情報の画像６２を非表示にして操作ボタン画像６０に対する情報量を削減する。即ち、図１０に示すように、図９に示す十字キー画像４４に対するガイド情報の画像４６、Ａボタン５０ａ以外の操作ボタンに対するガイド情報の画像６２を非表示にする。また、情報量の削除と共に入力文字をカタカナ入力に変更する処理を実行する（ステップＳ２４）。即ち、文字入力画面のひらがなの５０音表４０をカタカナの５０音表に変更し、ステップＳ２２に戻る。
【００２２】
一方、コントローラ１８が、十字キー１４の押下、例えば→ボタン１４ｄの押下を検出した場合には（ステップＳ２２、十字キー）、操作ボタン画像６０に対するガイド情報の画像６２を非表示にして操作ボタン画像６０側のガイド情報の画像６２の情報量を削減する（ステップＳ２５）。また、ステップＳ２２において検出した十字キー１４の操作が→ボタン１４ｄの押下であるため（ステップＳ２６、方向ボタン）、十字キー画像４４の表示面積を小さくし、十字キー画像４４に対するガイド情報の画像４６の一部を非表示にして、十字キー画像４４及び十字キー画像４４に対するガイド情報の画像４６の情報量を削減する（ステップＳ２７）。即ち、図１１に示すように、操作ボタン画像６０側のガイド情報の画像６２を非表示にし、図９に示す十字キー画像４４及びガイド情報の画像４６に代えて十字キー画像４４の→ボタン以外を縮小した十字キー画像４４´及び→ボタン１４ｄに対するガイド情報４６´のみをＬＣＤ表示部２８に表示する。また、カーソル４２の位置は右方向に移動され（ステップＳ２８）、カーソル４２がひらがなの５０音表４０の「す」に対して表示される。
【００２３】
コントローラ１８は、ステップ２６において十字キー１４の中央ボタン１４ｅの押下を検出した場合には（ステップＳ２６、中央ボタン）、カーソル４２が表示されている入力対象の「す」を入力文字として確定し（ステップＳ２９）、確定した文字「す」を文字入力欄４８に表示する。
【００２４】
本発明の第２の実施の形態に係るＨＭＤによれば、操作者による十字キーまたは操作ボタンの操作に基づいて、操作していない側のガイド情報の画像を非表示にするため、コマンド入力時の選択対象または入力結果を見やすい状態で表示することができる。従って、コマンド入力時の操作部の操作性を向上させることができる。
【００２５】
なお、上述の実施の形態においては、十字キー画像４４の表示面積を小さくし、ガイド情報の画像４６の一部を非表示にして、十字キー画像４４及びガイド情報の画像４６の情報量を削減しているが、十字キー画像４４及びガイド情報の画像４６の情報量を削減せず、入力結果を含む文字入力欄４８を大きく表示すること等により、入力結果を含む文字入力欄４８の情報量に対して十字キー画像４４及びガイド情報の画像４６の情報量が相対的に少なくなるようにしてもよい。
【００２６】
また、上述の実施の形態においては、操作者が十字キー１４の各ボタンを押下してコマンドを入力しているが、音声出力部４の外側に十字キー１４に代えてタッチパネルを設け、操作者のタッチパネルに対する接触操作によりコマンドを入力してもよい。この場合には、タッチパネルに対する各方向の接触操作が十字キー１４の各方向ボタンの押下に対応し、タッチパネルに対する長押しの接触操作が十字キー１４の中央ボタンの押下に対応するようにする。コントローラ１８はタッチパネルに対する接触を検出した場合には、ＬＣＤ表示部２８に表示されるタッチパネルの操作に対するガイド情報の情報量を削減する。
【００２７】
また、上述の実施の形態において、静電容量式のタッチパネルを用いてタッチパネルに対する操作者の指の近接によりコマンドを入力してもよい。例えば、コントローラ１８はタッチパネルに対する操作者の指の近接を検出した場合には、ＬＣＤ表示部２８に表示されるガイド情報の情報量を削減する。一方、タッチパネルに対する操作者の指の近接を検出しなくなった場合には、ＬＣＤ表示部２８に表示されるガイド情報の情報量を削減する前の情報量に戻す。
【００２８】
また、上述の実施の形態において、図１２に示すように、十字キー画像４４´及びガイド情報の画像４６´をＬＣＤ表示部２８に表示される文字入力画面の右上端部に移動させるようにしてもよい。十字キー画像４４´及びガイド情報の画像４６´を文字入力画面上の視認しにくい位置に表示することにより、操作者に提供する十字キー画像４４´及びガイド情報の画像４６´の情報量を削減する。
【００２９】
また、上述の実施の形態においては、十字キー画像４４の表示面積を小さくし、ガイド情報の画像４６の一部を非表示にして、十字キー画像４４及びガイド情報の画像４６の情報量を削減しているが、ＬＣＤ表示部２８に表示される映像がカラー表示である場合には、十字キー画像４４及びガイド情報の画像４６を白黒表示して、十字キー画像４４及びガイド情報の画像４６の情報量を削減してもよい。
【００３０】
また、上述の実施の形態においては、十字キー画像４４の表示面積を小さくし、ガイド情報の画像４６の一部を非表示にして、十字キー画像４４及びガイド情報の画像４６の情報量を削減しているが、十字キー画像４４及びガイド情報の画像４６を薄く表示して、十字キー画像４４及びガイド情報の画像４６の情報量を削減してもよい。
【符号の説明】
【００３１】
２…ＨＭＤ、８…連結部、１２…表示部、１４…十字キー、１８…コントローラ、２８…ＬＣＤ表示部、４０…ひらがなの５０音表、４２…カーソル、４４…十字キー画像、４６…ガイド情報の画像、４８…文字入力欄、５０…操作ボタン、６０…操作ボタン画像、６２…ガイド情報の画像。
【図１】
2012033079.tif 000003
【図２】
2012033079.tif 000004
【図３】
2012033079.tif 000005
【図４】
2012033079.tif 000006
【図５】
2012033079.tif 000007
【図６】
2012033079.tif 000008
【図７】
2012033079.tif 000009
【図８】
2012033079.tif 000010
【図９】
2012033079.tif 000011
【図１０】
2012033079.tif 000012
【図１１】
2012033079.tif 000013
【図１２】
2012033079.tif 000014